(57)【要約】【課題】配線部材用係止装置及びこれを用いた遊技機に関し、外部からの負荷を軽減し、もってコードの断線等の破損を防止するとともに、外部からの負荷が解放された後、コードを元の位置に復帰させることで、更なる外部からの負荷に対応できるようにした遊技機を提供する。【解決手段】本体部(610)、保持部(620)と、ロック手段(640)を備え、本体部(610)と保持部(620)とのいずれか一方（例えば本体部610）には、他方（例えば保持部620）との対面状態で、他方（例えば保持部620）に向かって突出するとともに、配線部材(500)を貫通する凸部(613)を設け、他方（例えば保持部620）には、配線部材(500)を貫通した凸部(613)がはまり込む凹部(621)を設け、凸部(613)を設けた一方（例えば本体部610）には、少なくとも配線部材(500)の配線方向への凸部(613)の移動を許容し、移動する際に復元力を蓄積可能な可動部(612)を設けている。【選択図】図５
2017158694.tif 000002
【特許請求の範囲】
【請求項１】
ベースに固定され、当該ベースに対して配線部材を係止する配線部材用係止装置であって、
前記ベースに固定される本体部と、
前記本体部と対面した状態で、当該本体部との間に前記配線部材を保持する保持部と、
前記本体部と前記保持部とが対面した状態にロックするロック手段と、を備え、
前記本体部と前記保持部とのいずれか一方には、他方との対面状態で、前記他方に向かって突出するとともに、前記配線部材を貫通する凸部を設け、
前記他方には、前記配線部材を貫通した前記凸部がはまり込む凹部を設け、
前記凸部を設けた前記一方には、
少なくとも前記配線部材の配線方向への前記凸部の移動を許容し、移動する際に復元力を蓄積可能な可動部を設けている、
ことを特徴とする配線部材用係止装置。
【請求項２】
前記凹部は、
前記配線部材の配線方向における前記凸部の長さに対し、前記配線方向に長い空間を有し、
前記凸部は、
前記空間において、前記配線方向の途中に前記可動部を介して支持されている、
ことを特徴とする請求項１に記載の配線部材用係止装置。
【請求項３】
前記凸部は、円柱形に形成され、
前記凹部は、前記円柱形の外形より内径の大きな穴状に形成されている、
ことを特徴とする請求項１又は請求項２に記載の配線部材用係止装置。
【請求項４】
前記凸部は、前記本体部に設けられ、
前記本体部は、内側に中空部を有する枠状に形成され、
前記可動部は、前記中空部内に位置している、
ことを特徴とする請求項１〜３のいずれか１項に記載の配線部材用係止装置。
【請求項５】
前記可動部は、
前記配線部材の配線方向に向かって屈曲可能な板状に形成されるとともに、
前記中空部内において、前記配線方向と直交する方向に対向する内側面に両端部がそれぞれ連結され、
前記凸部は、前記可動部の両端部の間に位置している、
ことを特徴とする請求項４に記載の配線部材用係止装置。
【請求項６】
前記配線部材用係止装置は、熱可塑性樹脂で一体成形され、
前記可動部は、樹脂の弾性復元力を利用している、
ことを特徴とする請求項１〜５のいずれか１項に記載の配線部材用係止装置。
【請求項７】
前記ベースは、遊技機の筐体内に配置される部材を覆うケースであり、
前記本体部には、前記ケースに設けられた取付穴に弾性的に係合する弾性脚を設けている、
ことを特徴とする請求項１〜６のいずれか１項に記載の配線部材用係止装置を用いた遊技機。
【発明の詳細な説明】
【技術分野】
【０００１】
この発明は、配線部材用係止装置及びこれを用いた遊技機に関し、外部からの負荷を軽減し、もってコードの断線等の破損を防止するとともに、外部からの負荷が解放された後、コードを元の位置に復帰させることで、更なる外部からの負荷に対応できるようにしたものである。
【背景技術】
【０００２】
従来、複数本のコードを受け板と押え板との間にはさんで束ねる「コード束ね具」が知られている（特許文献１の段落「００２０」及び図１〜図４参照）。
上記した押え板には、折曲げ板ばねを介してクランプ板が連結され、クランプ板によりコードを締め付けていた（特許文献１の段落「００２１」、図５及び図６参照）。
【先行技術文献】
【特許文献】
【０００３】
【特許文献１】実開平6-71989号公報
【発明の概要】
【発明が解決しようとする課題】
【０００４】
しかし、上記した従来の「コード束ね具」では、コードの締め付けを目的としたものであり、コードに外部からの負荷、例えば引張り力が加わった際に、コードが断線するおそれがあるという問題点があった。
【０００５】
本発明に係る配線部材用係止装置は、コードに外部からの負荷、例えば引張り力が加わった際に、コードの配線方向の移動を許容することで、外部からの負荷を軽減し、もってコードの断線等の破損を防止するとともに、外部からの負荷が解放された後、コードを元の位置に復帰させることで、更なる外部からの負荷に対応できるようにしたものである。
また、本発明に係る配線部材用係止装置は、断線等により破損し易い、ＦＰＣやＦＦＣなどの配線部材に好適なものである。
【０００６】
また、本発明に係る配線部材用係止装置は、空間において、配線方向の途中に可動部を介して凸部を支持することで、当該凸部をニュートラルな位置に支持し、配線方向の両方向の負荷を軽減できるようにしたものである。
【０００７】
本発明に係る配線部材用係止装置は、凸部を円柱形、凹部を円柱形の外形より内径の大きな穴状にそれぞれ形成することで、係止装置の構造を簡便にできるようにしたものである。
【０００８】
本発明に係る配線部材用係止装置は、凸部を本体部に設け、枠状の本体部の中空部内に可動部を位置させることで、可動部の移動を許容できるようにしたものである。
【０００９】
本発明に係る配線部材用係止装置は、可動部を、配線部材の配線方向に向かって屈曲可能な板状に形成することで、バネ性を利用できるともに、可動部の両端部を、中空部内において、配線方向と直交する方向に対向する内側面にそれぞれ連結し、凸部を可動部の両端部の間に位置させることで、配線部材を安定して保持できるようにしたものである。
【００１０】
本発明に係る配線部材用係止装置は、熱可塑性樹脂で一体成形され、可動部に樹脂の弾性復元力を利用することで、係止装置の構造、並びに製造を簡便にできるようにしたものである。
【００１１】
本発明に係る遊技機は、遊技機の基板を覆うケースに弾性脚を利用してワンタッチで装着できるようにしたものである。
【課題を解決するための手段】
【００１２】
なお、カッコ内の符号は、発明の実施の形態において用いた符号を示し、本発明の技術的範囲を限定するものではない。
本発明に係る配線部材(500)用係止装置(600)は、ベース（例えばケース400）に固定され、当該ベース（例えばケース400）に対して配線部材(500)を係止する配線部材(500)用係止装置(600)であって、前記ベース（例えばケース400）に固定される本体部(610)と、前記本体部(610)と対面した状態で、当該本体部(610)との間に前記配線部材(500)を保持する保持部(620)と、前記本体部(610)と前記保持部(620)とが対面した状態にロックするロック手段(640)と、を備え、前記本体部(610)と前記保持部(620)とのいずれか一方（例えば本体部610）には、他方（例えば保持部620）との対面状態で、前記他方（例えば保持部620）に向かって突出するとともに、前記配線部材(500)を貫通する凸部(613)を設け、前記他方（例えば保持部620）には、前記配線部材(500)を貫通した前記凸部(613)がはまり込む凹部(621)を設け、前記凸部(613)を設けた前記一方（例えば本体部610）には、少なくとも前記配線部材(500)の配線方向への前記凸部(613)の移動を許容し、移動する際に復元力を蓄積可能な可動部(612)を設けている、ことを特徴とする。
かかる構成にあっては、コードに外部からの負荷、例えば引張り力が加わった際に、コードの配線方向の移動を許容することで、外部からの負荷を軽減し、もってコードの断線等の破損を防止するとともに、外部からの負荷が解放された後、コードを元の位置に復帰させることで、更なる外部からの負荷に対応できる、という効果がある。
また、本発明に係る配線部材用係止装置は、断線等により破損し易い、ＦＰＣやＦＦＣなどの配線部材に好適なものである。
【００１３】
また、本発明に係る配線部材(500)用係止装置(600)の具体例としては、さらに、前記凹部(621)は、前記配線部材(500)の配線方向における前記凸部(613)の長さに対し、前記配線方向に長い空間を有し、前記凸部(613)は、前記空間において、前記配線方向の途中に前記可動部(612)を介して支持されている、ことを特徴とする。
かかる構成にあっては、空間において、配線方向の途中に可動部を介して凸部を支持することで、当該凸部をニュートラルな位置に支持し、配線方向の両方向の負荷を軽減できる、という効果がある。
【００１４】
また、本発明に係る配線部材(500)用係止装置(600)の具体例としては、さらに、前記凸部(613)は、円柱形に形成され、前記凹部(621)は、前記円柱形の外形より内径の大きな穴状に形成されている、ことを特徴とする。
かかる構成にあっては、凸部を円柱形、凹部を円柱形の外形より内径の大きな穴状にそれぞれ形成することで、係止装置の構造を簡便にできる、という効果がある。
【００１５】
また、本発明に係る配線部材(500)用係止装置(600)の具体例としては、さらに、前記凸部(613)は、前記本体部(610)に設けられ、前記本体部(610)は、内側に中空部(611)を有する枠状に形成され、前記可動部(612)は、前記中空部(611)内に位置している、ことを特徴とする。
かかる構成にあっては、凸部を本体部に設け、枠状の本体部の中空部内に可動部を位置させることで、可動部の移動を許容できる、という効果がある。
【００１６】
また、本発明に係る配線部材(500)用係止装置(600)の具体例としては、さらに、前記可動部(612)は、前記配線部材(500)の配線方向に向かって屈曲可能な板状に形成されるとともに、前記中空部(611)内において、前記配線方向と直交する方向に対向する内側面に両端部がそれぞれ連結され、前記凸部(613)は、前記可動部(612)の両端部の間に位置している、ことを特徴とする。
かかる構成にあっては、可動部を、配線部材の配線方向に向かって屈曲可能な板状に形成することで、バネ性を利用できるともに、可動部の両端部を、中空部内において、配線方向と直交する方向に対向する内側面にそれぞれ連結し、凸部を可動部の両端部の間に位置させることで、配線部材を安定して保持できる、という効果がある。
【００１７】
また、本発明に係る配線部材(500)用係止装置(600)の具体例としては、さらに、前記配線部材(500)用係止装置(600)は、熱可塑性樹脂で一体成形され、前記可動部(612)は、樹脂の弾性復元力を利用している、ことを特徴とする。
かかる構成にあっては、熱可塑性樹脂で一体成形され、可動部に樹脂の弾性復元力を利用することで、係止装置の構造、並びに製造を簡便にできる、という効果がある。
【００１８】
また、本発明に係る遊技機(10)の具体例としては、さらに、前記ベースは、遊技機(10)の筐体(12)内に配置される部材（例えば液晶表示パネルＰ）を覆うケース（例えばケース400）であり、前記本体部(610)には、前記ケース（例えばケース400）に設けられた取付穴(410)に弾性的に係合する弾性脚(616)を設けている、ことを特徴とする。
かかる構成にあっては、遊技機の液晶表示パネルを覆うケースに弾性脚を利用してワンタッチで装着できる、という効果がある。
【図面の簡単な説明】
【００１９】
【図１】本発明の実施の形態であって、遊技機の概略斜視図である。
【図２】本発明の実施の形態であって、遊技制御手段を説明するための概略ブロック図である。
【図３】本発明の実施の形態であって、図３の遊技状態制御手段の詳細を説明するための概略ブロック図である。
【図４】本発明の実施の形態であって、遊技状態の一例を説明するための説明図である。
【図５】本発明の実施の形態であって、係止装置の取り付け状態を説明するための分解斜視図である。
【図６】本発明の実施の形態であって、係止装置の斜視図である。
【図７】本発明の実施の形態であって、係止装置の取り付け状態を説明するための分解断面図である。
【図８】本発明の実施の形態であって、係止装置の取り付け状態を説明するための他の断面図であり、同図（ａ）は分解断面図、（ｂ）はベースであるケースへの取り付け状態の断面図である。
【図９】本発明の実施の形態であって、図７に対応し、配線部材を保持した状態の係止装置の分解断面図である。
【図１０】本発明の実施の形態であって、図７に対応し、ベースであるケースへの取り付け状態の断面図である。
【図１１】本発明の実施の形態であって、配線部材を保持した状態の係止装置の取り付け状態を説明するための分解斜視図である。
【図１２】本発明の実施の形態であって、図１１に対応し、配線部材を保持した状態の係止装置をベースであるケースに取り付けた状態の斜視図である。
【図１３】本発明の実施の形態であって、遊技の流れの一例を説明するためのフローチャートである。
【発明を実施するための形態】
【００２０】
（遊技機10）
本明細書では、各説明箇所において、方向についての定義等が示されていない場合には、遊技機10の方を向いて位置している遊技者から見て、遊技機10から遊技者の手前側に向かう方向を「前方向」とし、その逆方向を「後方向」とする。また、同様に、「左方向」や「右方向」等の左右方向も、遊技者から見た場合の左方向や、右方向を意味する。同様に、各部材の説明においても、方向についての定義等が示されていない場合には、各部材を、遊技機10の所定位置に固定した状態における遊技者から見た方向を意味する。
本実施の形態に係る遊技機10としてのスロットマシンを、以下、図１を参照しながら説明する。本実施の形態に係る遊技機10としてのスロットマシンは、前方向に向かって開口する正面開口を有する四角箱状の筐体12と、この筐体12の正面開口を開閉自在に覆う前扉14とを備えている。
【００２１】
（上パネル20）
前扉14の上部には、薄板樹脂からなる上パネル20を備えている。
【００２２】
（図柄表示窓部16）
上パネル20の略中央には、３個の回転リール62（正面から向かって左側の左リール64、中央の中リール66、右側の右リール68）の円周上の図柄61を見ることができる透過可能な図柄表示窓部16が形成されている。
図柄表示窓部16は、３個全ての回転リール62の回転が停止した際には、縦３列横３行に配置した合計９個の図柄61を遊技者に見せるように形成されている。この図柄表示窓部16は、回転リール62の正面側に設けられて、回転リール62の回転が停止した際、後述する有効ライン86上に停止している複数の図柄61を視認するためのものである。回転リール62は、図柄表示窓部16を介して複数の図柄61を変動表示可能なものである。
【００２３】
（リールユニット60）
図柄表示窓部16の奥には、リールユニット60（図２参照）が配置されている。
リールユニット60は、複数、例えば２１個の図柄61が個別に表示された複数、例えば３個の回転リール62を個別に回転可能なものである。
【００２４】
（演出装置70）
前扉14には、演出装置70（図２参照）が配置されている。演出装置70は、遊技の進行に応じ、各種の演出を実行するものである。演出装置70は、前扉14に配置された、（１）スピーカー72、（２）画像表示装置84、（３）演出用ランプ78を備えている。なお、演出装置70は、前述した（１）〜（３）に限定されず、他の装置を備えていてもよい。
スピーカー72は、前扉14の上部左右に配置された上部スピーカー74と、前扉14の下部左右に配置された下部スピーカー76とを備えている。
【００２５】
画像表示装置84は、その画面に種々の映像を表示するための表示デバイスであり、動画を含んだ映像の表示を行うための液晶表示パネルＰ（図１１及び図１２参照）を有する演出ユニットを構成するものである。
演出用ランプ78は、前扉14の上部に配置された上部ランプ80と、前扉14の中央部に配置された後述する役物用照明装置81と、前扉14の下部に配置された下部ランプ82とを備えている。
【００２６】
（下パネル22）
前扉14の下部には、下パネル22が設けられている。
【００２７】
（操作部30）
前扉14には、下パネル22の上に位置して前扉14の前方向へ向けて突出する操作部30を備えている。操作部30の右端には、メダルを投入可能なメダル投入口38が設けられている。
本実施の形態に係る遊技機10には、遊技開始の条件として後述するメダル投入口38から予めメダルを投入して、最大５０枚までクレジットメダルとして内部に貯留可能なクレジット機能（投入枚数を電子データとして電子的に記憶し管理する機能）を有している。なお、このクレジットメダルとして貯留可能な最大枚数である５０枚を最大クレジットメダル数とする。
【００２８】
（精算スイッチ36）
操作部30の左端には、クレジット機能によりクレジットしたメダルの全てを払い出すための精算スイッチ36が設けられている。
【００２９】
（ストップスイッチ50）
操作部30の中央下側には、複数、例えば３個のストップスイッチ50が配置されている。ストップスイッチ50は、複数、例えば３個の回転リール62の各々に対応して設けられ、遊技者の操作により回転中の複数の回転リール62を個別に停止可能なものである。
ストップスイッチ50は、左リール64を停止させるための左ストップスイッチＬと、中リール66を停止させるための中ストップスイッチＣと、右リール68を停止させるための右ストップスイッチＲとを有している。
すなわち、これらのストップスイッチ50は、複数の回転リール62それぞれに対応して設けられ、複数の回転リール62の図柄61の変動表示の開始後、遊技者の操作により回転リール62の図柄61の変動表示を個別に停止させるためのものである。
【００３０】
（スタートスイッチ40）
ストップスイッチ50の左側には、スタートスイッチ40が配置されている。スタートスイッチ40は、遊技者の操作により複数、例えば３個の回転リール62の回転を開始させるためのものである。スタートスイッチ40は、メダルの投入又は後述するベットスイッチ32の操作を条件に、回転リール62の回転を開始させるためのものである。すなわち、このスタートスイッチ40は、遊技者の操作により回転リール62の図柄61の変動表示を開始させるためのものである。
【００３１】
（ベットスイッチ32）
スタートスイッチ40の上側には、クレジットしたメダルを所定枚数、投入可能なベットスイッチ32が設けられている。ベットスイッチ32としては、最大投入枚数（具体的には３枚）に達するまで投入可能なメダル数を減じて３枚のメダル投入に代えるマックスベットスイッチ34と、マックスベットスイッチ34の左隣に位置し、クレジットしたメダルを１枚減じて１枚のメダル投入に代えるシングルベットスイッチ35との２個のスイッチが設けられている。なお、ベットスイッチ32の個数は、２個に限定されず、例えば最大投入枚数しか投入できない機種においてはマックスベットスイッチ34だけを設けてもよい。
【００３２】
（払出手段24）
前扉14の下部の奥には、払出手段24（図２参照）が配置されている。払出手段24は、複数、例えば３個の回転リール62の停止表示された図柄61の組み合わせに基づいて、所定の遊技媒体、例えばメダルを払い出し可能なものである。払出手段24には、図示しないが、ホッパーユニットが使用されている。
なお、遊技媒体として、メダルを例示したが、これに限定されず、例えばパチンコ球でもよい。
また、前扉14の下部の奥には、電源投入又は電源遮断のための操作が可能な電源スイッチを有すると共に各部品に電力を供給するための電源装置（図示せず）が配置されている。
【００３３】
（メダル払出口28、メダル受け皿26）
前扉14の下部には、所定の場合に払出手段24からメダルが払い出されるメダル払出口28が形成されている。
このメダル払出口28の下方には、メダル払出口28から払い出されたメダルを貯留するため、上方に向かって開口する皿状のメダル受け皿26が形成されている。なお、クレジットされているメダル数が最大クレジットメダル数である５０枚未満の場合は、５０枚に到達するまで、獲得したメダルはメダル払出口28から払い出されずにクレジットメダルの枚数に加算される。
【００３４】
（１回の遊技及び有効ライン86）
本実施の形態に係る遊技機10は、ベットスイッチ32の操作又はメダル投入により所定枚数のメダルを投入することにより遊技の開始を可能とするものである。
そして、スタートスイッチ40の押下操作により、回転リール62の回転を開始させて遊技が開始されるとともに、役抽選が行われる。そして、当該遊技機10は、各回転リール62に対応するストップスイッチ50の操作タイミング及び役抽選の結果にもとづいて、回転リール62の回転を役抽選の結果に適合するように停止させる。
【００３５】
遊技機10は、停止時の図柄61の組合せによって、当選した役を構成する図柄61の組合せが所定の有効なライン（所定の役の図柄61の組合せが当該ライン上に揃ったときに所定の利益が付与されるラインのことであり、以下、「有効ライン86」という。）上に停止した場合に、入賞等となり、所定枚数のメダルを払い出す等の所定の利益を遊技者に付与する。これにより、１回の遊技が終了するものである。
【００３６】
なお、「有効ライン86」は、後述の停止図柄判定手段230の判定対象となるラインを意味する。本実施の形態の有効ライン86は、左リール64、中リール66及び右リール68の中段を横一直線に結んだラインから構成されている。
なお、有効ライン86として、１ラインを例示したが、これに限定されず、複数のラインから構成してもよい。
【００３７】
（図柄61）
左リール64、中リール66及び右リール68の表面には、図示しないが、「赤７」、「キャラクタ」、「ベル」、「バー」、「チェリー」、「プラム」、「オレンジ」等の複数の種々の図柄61が表示されている。
【００３８】
（遊技制御手段100）
遊技機10の内部には、図２に示すように、遊技機10の全体の動作を制御するための遊技制御手段100が形成されている。
前記遊技制御手段100は、大別すると、遊技を進行させて遊技状態を制御するメイン制御手段200と、このメイン制御手段200からの命令（コマンド及びデータを含む。）を受けて、遊技の進行に応じた演出を制御し、主に遊技内容に関する情報を遊技者に報知する演出を行うために演出状態を制御するサブ制御手段300を備えている。
【００３９】
なお、メイン制御手段200とサブ制御手段300との間は、メイン制御手段200への不正操作を防止するために、メイン制御手段200からサブ制御手段300への一方向の通信により行われている。
メイン制御手段200は、ベットスイッチ32、精算スイッチ36、スタートスイッチ40、ストップスイッチ50等の入力を受け付け、役抽選を行い、リールユニット60及び払出手段24の作動を制御する。
【００４０】
サブ制御手段300は、メイン制御手段200から信号を入力し、画像表示装置84等の演出装置70の作動を制御する。
サブ制御手段300の出力側には、演出装置70としてのスピーカー72、画像表示装置84、演出用ランプ78及び役物装置90の各パーツがそれぞれ接続されている。
【００４１】
なお、特に図示していないが、メイン制御手段200を有するメイン基板と、サブ制御手段300を有するサブ基板とは、それぞれ専用の基板ケースの内部に収納されている。具体的には、メイン制御手段200は、メイン基板ケースの内部に収納され、サブ制御手段300は、サブ基板ケースの内部に収納されている。そして、メイン基板ケースは、筐体12の内部の奥側の上部に固定され、サブ基板ケースは、筐体12内部の正面から向かって左側に固定されている。
【００４２】
メイン制御手段200、サブ制御手段300のそれぞれは、ＣＰＵ、ＲＯＭ、ＲＡＭ、Ｉ／Ｏポート（図示せず）を備えたマイクロコンピュータにより構成される。ＣＰＵは、タイマ割込などの割込機能を持ち、ＲＯＭに記憶されたプログラムを実行して、種々の処理を行う。ＲＯＭは、ＣＰＵが実行するプログラムや各種テーブル等の固定的なデータを記憶し、ＲＡＭは、ＣＰＵがプログラムを実行する際の一時的な記憶領域、例えば遊技機10の状態を記憶するための記憶領域や、役抽選の抽選結果を記憶するための記憶領域として使用される。
【００４３】
（メイン制御手段200）
メイン制御手段200は、役抽選手段210、リール制御手段220、停止図柄判定手段230、遊技状態制御手段240、払出制御手段250及び送信制御手段260の各手段を有する。各手段の詳細については後述する。
なお、これらの手段の全てをメイン制御手段200が制御することなく、その一部をサブ制御手段300側で制御してもよいし、或いはメイン制御手段200とサブ制御手段300とが協働して制御するようにしてもよい。
以上の構成をもって、メイン制御手段200は、役の抽選を行い、回転リール62の回転及び停止を制御し、回転リール62がすべて停止したときに停止図柄判定を行い、遊技の進行を行う手段として機能することとなる。
【００４４】
メイン制御手段200は、遊技を制御するためのものであって、遊技を実行するためのものである。以下、本実施の形態における遊技について説明する。
規定の賭け数（１〜３枚）が設定されると、有効ライン86（図１参照）が設定される。賭け数を設定する方法には、メダル投入口38からメダルを投入する方法と、ベットスイッチ32を操作することによってクレジットメダルを賭け数として設定する方法とがある。
そして、規定の賭け数（１〜３枚）が設定されていることを条件に、スタートスイッチ40を操作すると、賭け数が確定し、役抽選手段210により、複数の役のいずれかに当選したか又はハズレかの抽選（役抽選）が行われる。また、役抽選とほぼ同時に、前回の遊技での回転リール62の回転開始時から所定の時間（本実施の形態では、４．１秒）が経過しているか否かが判定され、所定の時間が経過すると、３個すべての回転リール62の回転が開始する。
【００４５】
本実施の形態では、役として、大別すると、「一般役」、「ボーナス役」、いずれにも当選していない「非当選」（ハズレ）が含まれている。
「一般役」には、「小役」（メダルの払い出しを伴う役）、「再遊技役」（遊技者所有のメダルを使用することなく次回の遊技を開始可能とする役、いわゆる「リプレイ役」）が含まれている。
「ボーナス役」は、遊技状態の移行を伴う役であり、次ゲーム以降に持ち越せる役である。なお、遊技状態については、図５を用いて後述する。
【００４６】
回転リール62の回転開始後、所定の条件（本実施の形態では、回転リール62を加速する処理を実行した後、所定のセンサにより回転リール62の回転位置が基準位置であることを検出すること）が成立すると、ストップスイッチ50の操作が可能な状態（停止操作可能状態）となる。
その後に、３個のストップスイッチ50のうち１個を操作すると、当該ストップスイッチ50に対応した回転リール62の回転が停止する。そして、３個すべてのストップスイッチ50の操作を終えると、３個すべての回転リール62の回転が停止する。
【００４７】
このとき、有効ライン86上に所定の図柄61の組合せが揃うと、当該図柄61の組合せに対応した処理が行われる。本実施の形態に係る遊技機10は、有効ライン86上に予め定められた図柄61の組合せが揃うと遊技者に利益が付与されるように形成されている。例えば小役に対応した図柄61の組合せが有効ライン86上に揃うと、小役に対応した枚数のメダルが遊技者に対して払い出される。
【００４８】
（役抽選手段210）
役抽選手段210は、メイン制御手段200が備える手段であり、スタートスイッチ40の操作を契機に、「ボーナス役」又は「一般役」のいずれかに当選か、又は非当選、すなわち「ハズレ」かを、抽選（役抽選）により決定するものである。役抽選手段210は、予め定めた抽選データと、所定範囲の整数値を繰り返してカウントするループカウンタを有する所定の乱数発生手段（乱数発生回路）が発生した乱数のうちから抽出した乱数とを比較して、当選か否かを判定する。
なお、役抽選手段210による処理は、後述するステップS11（図１３参照）において行われる。
【００４９】
（リール制御手段220）
リール制御手段220は、メイン制御手段200が備える手段であり、各回転リール62の回転を停止させるためのものである。リール制御手段220は、役抽選手段210の抽選結果と、各ストップスイッチ50が操作されたときの対応する回転リール62の回転位置とにもとづいて、各回転リール62の回転を停止させる。
【００５０】
具体的には、各回転リール62の駆動モータを制御することで、回転方向に予め定められた図柄数分、本実施の形態では４コマ以内の図柄までの範囲に、当選した役に対応する図柄が含まれている場合には、当該図柄が有効ライン86上に揃うように引き込み制御を行い、且つ、当選していない役に対応した図柄が有効ライン86上に揃わないように蹴飛ばし制御を行う。
なお、リール制御手段220による処理は、後述するステップS12（図１３参照）において行われる。
【００５１】
（停止図柄判定手段230）
停止図柄判定手段230は、メイン制御手段200が備える手段であり、すべての回転リール62が停止した際における有効ライン86上の図柄の組合せを記憶するとともに入賞等の判定をするためのものである。
なお、停止図柄判定手段230による処理は、後述するステップS13（図１３参照）において行われる。
【００５２】
（遊技状態制御手段240）
遊技状態制御手段240は、メイン制御手段200が備える手段であり、図４に示す「遊技状態」を制御するためのものである。
遊技状態制御手段240には、図３に示すように、大別すると、（１）普通遊技制御手段241、（２）ボーナス内部中遊技制御手段242、（３）特別遊技制御手段243、（４）特殊遊技制御手段244を備える。なお、（１）〜（４）については後述する。また、遊技状態制御手段240の手段は、（１）〜（４）の手段に限定されない。
【００５３】
（払出制御手段250）
払出制御手段250は、メイン制御手段200が備える手段であり、停止図柄判定手段230の判定結果にもとづいて、メダル払い出し等の所定の処理を行うためのものである。払出制御手段250は、停止図柄判定手段230の判定の結果、小役が入賞していると判定されるとメダルの払い出しを行う。
なお、払出制御手段250による処理は、後述するステップS14（図１３参照）において行われる。
【００５４】
（送信制御手段260）
送信制御手段260は、メイン制御手段200が備える手段であり、サブ制御手段300へ信号を送信するためのものである。
【００５５】
（サブ制御手段300）
サブ制御手段300は、受信制御手段310及び演出制御手段320の各手段を有する。手段の詳細については後述する。
なお、これらの手段の全てをサブ制御手段300が制御することなく、その一部をメイン制御手段200側で制御してもよいし、或いはメイン制御手段200とサブ制御手段300とが協働して制御するようにしてもよい。
【００５６】
サブ制御手段300は、演出装置70が接続され、所定の演出を実行する。
例えば、サブ制御手段300は、演出用ランプ78を駆動するためのＬＥＤ駆動回路（図示せず）に対してＬＥＤの点灯や消灯を規定するデータを出力したり、スピーカー72から音を出力するための音声出力回路（図示せず）に対して出力する音声を規定するデータを出力したり、画像表示装置84を駆動するための液晶制御基板（図示せず）に対して出力する映像データを規定するデータを出力したりする。
【００５７】
（受信制御手段310）
受信制御手段310は、サブ制御手段300が備える手段であり、メイン制御手段200側の送信制御手段260からの信号を受信するものである。
【００５８】
（演出制御手段320）
演出制御手段320は、サブ制御手段300が備える手段であり、メイン制御手段200の役抽選手段210による役抽選結果にもとづいて、演出装置70を用いて演出を実行するためのものである。
【００５９】
（普通遊技制御手段241）
普通遊技制御手段241は、図４を用いて後述する「普通遊技」の進行を制御するものである。
ここで、「普通遊技」は、図４を用いて後述するように、「特別遊技」（ボーナス遊技）、「ボーナス内部中遊技」及び「特殊遊技」以外の遊技状態である。
【００６０】
（ボーナス内部中遊技制御手段242）
ボーナス内部中遊技制御手段242は、図４を用いて後述する「ボーナス内部中遊技」の進行を制御するものである。
ここで、「ボーナス内部中遊技」は、「普通遊技」においてボーナス役に当選すると移行する遊技状態である。「ボーナス内部中遊技」において、ボーナス遊技の移行に対応した図柄が表示されると、当該ボーナス内部中遊技から「特別遊技」（ボーナス遊技）に移行する。
【００６１】
（特別遊技制御手段243）
特別遊技制御手段243は、図４を用いて後述する「特別遊技」（ボーナス遊技）の進行を制御するものである。
ここで、「特別遊技」（ボーナス遊技）は、ボーナス遊技用として用いられる抽選テーブルを用いて、役抽選が行われるものであり、通常遊技に用いられる抽選テーブルと比較すると、一般役の当選確率が高く設定されているため、通常遊技が遊技数を消化するごとにメダルは減少していくのに対して、ボーナス遊技においては、メダルが増加する可能性が高い。
「特別遊技」（ボーナス遊技）には、図４を用いて後述する「ＲＢ」である第１特別状態と、「ＢＢ」である第２特別状態との２種類の特別状態があり、各特別状態に応じ、第１特別状態制御手段243aと、第２特別状態制御手段243bとが設けられている。第１特別状態制御手段243aは、「ＲＢ」である第１特別状態を制御するものである。第２特別状態制御手段243bは、「ＢＢ」である第２特別状態を制御するものである。
【００６２】
（特殊遊技制御手段244）
特殊遊技制御手段244は、図４を用いて後述する「特殊遊技」の進行を制御するものである。
ここで、「特殊遊技」は、「特別遊技」（ボーナス遊技）の終了後、移行し、所定の遊技区間（例えば３０Ｇ）実行可能な遊技状態である。
【００６３】
（図４を用いた遊技状態の説明）
図４は、メイン制御手段200側で管理される遊技状態の一例を示している。
遊技状態としては、大別すると、「普通遊技」、「特別遊技」（ボーナス遊技）、「ボーナス内部中遊技」、「特殊遊技」が含まれる。
【００６４】
（普通遊技）
「普通遊技」は、普通に行われる遊技状態であって、ここでは「特別遊技」（ボーナス遊技）、「ボーナス内部中遊技」及び「特殊遊技」以外の遊技状態をいう。「普通遊技」は、図３に示す普通遊技制御手段241により制御されている。
「普通遊技」は、「ＮＯＭ」（ＲＴ０）とも呼ばれ、再遊技役の当選確率が「通常」（低確率）に設定されている。
ここで、「ＲＴ０」は「ＲＴ」の一つの状態であり、「ＲＴ」はいわゆる「リプレイ・タイム」の略語である。「リプレイ」は、「再遊技」とも呼ばれる。再遊技役（リプレイ役）に当選し、再遊技役（リプレイ役）に対応する図柄の組合せが有効ライン86上に揃うと、メダルの払い出しはないものの、次回の遊技において遊技者所有のメダルを使用することなく賭け数が自動的に設定され、遊技を行うことができる。
【００６５】
「普通遊技」中、図２に示す役抽選手段210により、スタートスイッチ40の操作を契機に、「ボーナス役」又は「一般役」のいずれかに当選か、又は非当選、すなわち「ハズレ」かを、抽選（役抽選）により決定している。「普通遊技」中、ボーナス役に当選すると、「ボーナス内部中遊技」に移行する。また、「普通遊技」中、ボーナス役に当選し、且つボーナス状態の移行に対応した図柄が表示されると、入賞となり、「普通遊技」から「特別遊技」（ボーナス遊技）に移行する場合もある。
【００６６】
（ボーナス内部中遊技）
「ボーナス内部中遊技」は、「普通遊技」中、ボーナス役に当選、すなわちボーナス役のフラグが立った状態の遊技状態である。「ボーナス内部中遊技」は、図４に示すボーナス内部中遊技制御手段242により制御される。「ボーナス内部中遊技」中は、「ＲＴ２」に移行し、再遊技役の当選確率が「高確率」に設定されている。
「ボーナス内部中遊技」中、ボーナス状態の移行に対応した図柄が表示されると、入賞となり、「特別遊技」（ボーナス遊技）に移行する。
【００６７】
（特別遊技）
「特別遊技」（ボーナス遊技）は、ボーナス遊技用として用いられる抽選テーブルを用いて、役抽選が行われるものであり、通常遊技に用いられる抽選テーブルと比較すると、一般役の当選確率が高く設定されているため、通常遊技が遊技数を消化するごとにメダルは減少していくのに対して、ボーナス遊技においては、メダルが増加することになる。ボーナス遊技は、図４に示す特別遊技制御手段243により制御される。
「特別遊技」（ボーナス遊技）には、遊技者に対する有利度の異なる「ＲＢ」である第１特別状態と、第１特別状態より遊技者に有利な「ＢＢ」である「第２特別状態」との少なくとも２種類の遊技状態を有する。
「ＢＢ」は、「ＲＢ」が連続して発生する遊技様態である。「ＲＢ」は、小役の当選確率を上昇させることで、小役の入賞を容易にする遊技状態である。「ＢＢ」は、図４に示す第２特別状態制御手段243bにより制御される。「ＲＢ」は、図４に示す第１特別状態制御手段243aにより制御される。
【００６８】
「特別遊技」（ボーナス遊技）は、「遊技区間」（例えば所定の払出枚数の到達）が設定され、当該遊技区間が終了すると、「特殊遊技」に移行する。
なお、特別状態として、「ＲＢ」と「ＢＢ」とを例示したが、これに限定されず、「ＲＢ」と「ＢＢ」といずれか一方でもよいし、或いはいわゆるチャレンジ・ボーナス（ＣＢ、第二種特別役物）でもよい。チャレンジ・ボーナス（ＣＢ）は、全ての小役を当選状態にすることで小役の入賞を容易にする遊技状態である。
また、「特別遊技」（ボーナス遊技）の「遊技区間」として、例えば所定の払出枚数に到達することを終了条件として説明したが、これに限定されず、ゲーム数やセット数、或いはポイント数が所定の値に到達した場合に終了させるようにしてもよい。
【００６９】
（特殊遊技）
「特殊遊技」は、「特別遊技」（ボーナス遊技）の終了後、移行し、所定の遊技区間（例えば３０Ｇ）実行可能な遊技状態である。「特殊遊技」は、図４に示す特殊遊技制御手段244により制御される。
「特殊遊技」中は、「ＲＴ１」に移行し、再遊技役の当選確率が「中程度」に設定され、メダル数が微減するように設定されている。
「特殊遊技」中、役抽選でボーナス当選すると、「特別遊技」（ボーナス遊技）に再度、移行する。これに対し、所定の遊技区間（例えば３０Ｇ）が終了する（ゲーム数を消化する）と、「普通遊技」に移行する。
なお、特殊遊技の「遊技区間」として、ゲーム数（例えば３０Ｇ）を例示したが、これに限定されず、例えばメダルの払出枚数や差数、セット数或いはポイント数等を用いてもよい。
【００７０】
（図５〜図１２を用いた係止装置600の説明）
図５〜図１２を用いて、係止装置600について説明する。
係止装置600は、図１１及び図１２に示すように、図１及び図２に示す画像表示装置84の液晶表示パネルＰ（図１１及び図１２参照）等の部材を覆う、ベースとしてのケース400に対し、液晶表示パネルＰと液晶制御基板等とを接続するフレキシブルフラットケーブル（ＦＦＣ）等の配線部材500を係止するためのものである。
【００７１】
（ケース400）
ケース400は、図１１及び図１２に示すように、内部に液晶表示パネルＰ等の部材が収納可能であり、中空な箱形に形成されている。
ケース400には、図５に示すように、係止装置600の取り付け用の取付穴410を設けている。
取付穴410は、１個の第１穴411と、２個の第２穴412の計３個設けられている。第１穴411は、ケース400の表裏面に貫通し、方形に形成され、係止装置600の後述する固定脚615が挿入される。第２穴412は、第１穴411から離れて位置し、第１穴411と同様に、ケース400の表裏面に貫通し、方形に形成され、係止装置600の後述する一対の弾性脚616の一個ずつ挿入される。２個の第２穴412は、互いに離れ、第１穴411の延長線上に対称に形成されている。
なお、第１穴411及び第２穴412を計３個設けたが、これに限定されず、例えば３個を連続させて１個としたり、或いは第２穴412を連続させて１個とし、第１穴411を含め計２個としたりしてもよい。また、第１穴411及び第２穴412を、貫通状に形成したが、これに限定されず、例えば行き止まりの凹状に形成してもよい。さらに、第１穴411及び第２穴412を、方形に形成したが、これに限定されず、例えば円形、楕円形、長円形、四角形外の多角形に形成してもよい。
【００７２】
なお、配線部材500は、液晶表示パネルＰと液晶制御基板との接続に用いられる場合を例示したが、これに限定されず、例えば図３に示すメイン制御手段200、サブ制御手段300等の基板と他の装置との接続に使用してもよい。
また、「ベース」としては、液晶表示パネルＰのケース400を例示したが、これに限定されず、例えば図１に示す筐体12や前扉14等の内面でもよいし、メイン制御基板200、サブ制御手段300、液晶制御基板等の基板ケースでもよい。
【００７３】
（配線部材500）
配線部材500には、図５、図１１及び図１２に示すように、フレキシブルフラットケーブル（ＦＦＣ）を用いている。ここで、「フレキシブルフラットケーブル」は、「ＦＦＣ」（Flexible Flat Cable）とも呼ばれ、並列に配置された導体をフィルム状の絶縁体で上下より挟んで作られたケーブルをいう。
なお、配線部材500として、「フレキシブルフラットケーブル」（ＦＦＣ）を例示したが、これに限定されず、例えば「フレキシブルプリント回路基板」（ＦＰＣ）でもよい。ここで、「フレキシブルプリント回路基板」は、「ＦＰＣ」（Flexible printed circuits）」ともよばれ、絶縁性を持った薄く柔らかいベースフィルム（ポリイミド等）と銅箔等の導電性金属を貼り合わせた基材に電気回路を形成した基板をいう。
また、配線部材500には、図５に示すように、計２個の貫通孔510を設けている。貫通孔510は、配線部材500の表裏面に貫通し、円形に形成され、係止装置600の後述する凸部613が挿入される。２個の貫通孔510は、互いに離れ、凸部613の間隔にあわせて形成されている。
なお、貫通孔510は、円形としたが、これに限定されず、凸部613の外形に適合していればよく、例えば楕円形、長円形、方形に形成してもよい。
【００７４】
（係止装置600の基本的な構造）
係止装置600は、図１０及び図１２に示すように、配線部材500を保持した状態でベースであるケース400に固定されるものである。
係止装置600は、図５〜１０に示すように、大別すると、（１）本体部610、（２）保持部620、（３）ヒンジ部630、（４）ロック手段640を備える。係止装置600は、絶縁性を有し、適度な弾性と剛性を有する熱可塑性樹脂で一体成形される。前述した（１）〜（４）については後述する。
なお、係止装置600の各部は、（１）〜（４）の手段に限定されない。例えば、ヒンジ部630を省略し、本体部610と保持部620を分離可能とし、本体部610及び保持部620の両端部にロック手段640をそれぞれ設け、２個のロック手段640を用いて、本体部610と保持部620を連結させてもよい。また、係止装置600を、熱可塑性樹脂で一体成形したが、これに限定されず、例えば金属製や、樹脂と金属を複合して形成してもよい。
【００７５】
（本体部610）
本体部610は、図８（ｂ）及び図１０に示すように、ベースであるケース400に固定されるものである。
本体部610は、図５及び図６に示すように、配線部材500の幅方向に長い長方形の板状に形成され、全長を配線部材500の幅より長く形成している。本体部610は、内側に中空部611を有する枠状、例えば平面がカタカナの「ロ」字形に形成されている。
【００７６】
本体部610は、図６に示すように、中空部611のほか、大別すると、（１）可動部612、（２）凸部613、（３）取付部614を備える。前述した（１）〜（３）については後述する。
なお、本体部610の各部は、（１）〜（３）の手段に限定されない。例えば、取付部614を省略し、例えば本体部610をねじ止めしたり、或いは接着するようにしたり、両面テープにより固定するようにしたりしてもよい。
また、本体部610を、長方形の板状に形成したが、これに限定されず、例えば正方形、円形、楕円形、長円形、４角形を除く多角形に形成してもよく、又、板状にも限定されない。さらに、本体部610を、枠状、例えば平面がカタカナの「ロ」字形に形成したが、これに限定されず、例えばリング状や、或いは四方が閉じていない、カタカナの「コ」字形や、英大文字の「Ｌ」字形でもよく、又、枠状にも限定されない。
【００７７】
（可動部612）
可動部612は、少なくとも配線部材500の配線方向への、後述する凸部613の移動を許容し、移動する際に復元力を蓄積可能なものである。
可動部612は、図６に示すように、中空部611内に位置している。
可動部612は、配線部材500の配線方向に向かって屈曲可能な板状に形成されるとともに、中空部611内において、配線方向と直交する方向に対向する内側面に両端部がそれぞれ連結されている。
【００７８】
ここで、「配線部材500の配線方向に向かって屈曲可能な板状」として、例えば図６に示すように、幅方向から見たときに波形に屈曲した板を例示している。
なお、「配線部材500の配線方向に向かって屈曲可能な板状」として、幅方向から見たときに波形に屈曲した板を例示したが、これに限定されず、例えば、英大文字の「Ｖ」、「Ｗ」字形に屈曲させてもよい。
また、可動部612の両端部を、中空部611を挟んで対向する本体部610の内側面にそれぞれ連結したが、これに限定されず、可動部612の一端部だけを連結してもよい。可動部612の一端部だけを連結した場合には、当該一端部がヒンジとして作用することから、波形等に屈曲させなくともよく、単に平板状に形成してもよい。また、可動部612の両端部を、配線部材500の配線方向と直交する方向に対向する内側面にそれぞれ連結したが、これに限定されず、配線部材500の配線方向と斜めに交わるように連結してもよいし、或いは可動部612をコイルバネから構成した場合には、配線方向と平行に取り付けてもよい。
【００７９】
一方、可動部612は、樹脂の弾性復元力を利用している。
なお、可動部612に、樹脂の弾性復元力を利用したが、これに限定されず、可動部612に金属製の板バネや、コイルバネを用いてよいし、或いは伸縮性や弾性を有するスポンジやゴム等から構成してもよい。
【００８０】
（凸部613）
凸部613は、図５〜図７及び図９に示すように、本体部610に設けられ、保持部620に向かって突出するとともに、配線部材500の貫通孔510を貫通するものである。凸部613は、ピン状、例えば円柱形に形成され、本体部610の長手方向に離れて一対設けられている。ピン状の凸部613は、保持部620の後述する穴状の凹部621にはまり込む。
なお、凸部613を、本体部610に設けたが、これに限定されずに、保持部620に設けてもよく、このとき、凹部621を本体部610（可動部612）に設けてもよい。また、凸部613として、ピン状を例示したが、これに限定されず、例えばブロック状に設けてもよい。
【００８１】
また、凹部621は、配線部材500の配線方向における凸部613の長さ、例えば直径に対し、配線方向に長い空間、すなわち凸部613の外径より大きな内径を有しており、凸部613は、凹部621内を移動可能である。凸部613は、空間において、配線方向の途中、例えば中間に可動部612を介して支持される。
なお、「空間において、配線方向の途中」としては、中間を例示したが、これに限定されず、例えば配線方向の一方に偏らせてもよい。
さらに、凸部613は、可動部612の両端部の間、例えば中間に位置している。
なお、「可動部612の両端部の間」としては、中間を例示したが、これに限定されず、例えば両端部の一方の端部側に偏らせてもよい。
【００８２】
（取付部614）
取付部614は、図５〜図１０に示すように、本体部610をベースであるケース400に固定するためのものである。
取付部614は、図６に示すように、大別すると、（１）固定脚615、（２）弾性脚616から構成されている。前述した（１）及び（２）については後述する。なお、取付部614は、（１）及び（２）に限定されず、ケース400に対し、例えばねじ止めしたり、或いは接着する部分を取付部614としたりしてもよい。
【００８３】
（固定脚615）
固定脚615は、図５〜図７、図９及び図１０に示すように、ベースであるケース400に対して本体部610を固定するためのものである。固定脚615は、本体部610の一端部、すなわちヒンジ部630が無い側に位置し、断面が英大文字の「Ｌ」形に折れ曲がり、本体部610の下面から下方に延び、更に本体部610の長手方向の延長線上に延びている。固定脚615は、図９及び図１０に示すように、ケース400の第１穴411にはまり込む。
【００８４】
（弾性脚616）
弾性脚616は、図５〜図１０に示すように、ベースであるケース400に対して本体部610を弾性的に固定するためのものである。弾性脚616は、本体部610の他端部、すなわちヒンジ部630が有る側に位置し、本体部610の幅方向に一対形成されている。弾性脚616は、図８〜図１０に示すように、ケース400の一対の第２穴412にそれぞれ小さく折れ曲がってはまり込み、当該第２穴412を通過後、ケース400の裏面側（内面側）で樹脂の復元力により拡開し、当該裏面（内面）に引っ掛かって抜けなくなり、固定脚615と協働して、本体部610をケース400に対して固定する。
弾性脚616は、断面が英大文字の「Ｖ」形に折れ曲がり、本体部610の下面から下方に延び、更に本体部610の幅手方向の外側に向かって折り返し状に延びている。
【００８５】
弾性脚616には、図６及び図８に示すように、爪部617、操作部618を備える。
爪部617は、本体部610の幅手方向の外側に向かって爪状に突出する。爪部617は、第２穴412を小さく折れ曲がって通り抜け、ケース400の裏面側（内面側）で樹脂の復元力により拡開し、当該裏面（内面）に引っ掛かる。
操作部618は、弾性脚616の自由端部に位置し、爪部617がケース400の裏面側（内面側）に引っ掛かった状態で、第２穴412の表面側（外面側）に突出し、爪部617の引っ掛かった状態を解除可能なものであり、これによりケース400からの係止装置600の取り外しが可能となる。
【００８６】
（保持部620）
保持部620は、図５〜図１０に示すように、本体部610と対面した状態で、当該本体部610との間に配線部材500を保持するものである。
保持部620は、本体部610と外形が略同形に形成され、本体部610にほぼ重なり合う。保持部620は、本体部610と同様に、配線部材500の幅方向に長い長方形の板状に形成されている。
保持部620は、その幅手方向の一端部がヒンジ部630を介し、本体部610の一端部に連結され、当該ヒンジ部630を介して本体部610に対して回転可能に支持される。
なお、保持部620は、本体部610と協働して、配線部材500が移動しないように挟持するものではなく、配線部材500の移動を許容するとともに、係止装置600から脱落を防止する程度に保持する。
【００８７】
（凹部621）
保持部620には、図５〜図７、図９及び図１０に示すように、凹部621を設けている。
凹部621は、保持部620に設けられ、配線部材500を貫通した凸部613がはまり込むものである。凹部621は、凸部613の円柱形の外径より大きな内径を有する穴状に形成されている。凹部621は、保持部620の厚み方向に貫通し、平面が円形に形成され、凸部613に対応し、保持部620の長手方向に離れて一対設けられている。
なお、凹部621を、保持部620に設けたが、これに限定されずに、本体部610（可動部612）に設けてもよく、このとき、凸部613を保持部620に設けてもよい。また、図示しないが、保持部620に凸部613と凹部621の両部を設け、本体部610にも凸部613と凹部621の両部を設け、互い違いにはまり込むようにしてもよいし、本体部610に凹部621を設け、保持部620に中空部611、可動部612、凸部613を設けてもよい。さらに、凹部621として、穴状を例示したが、これに限定されず、穴は貫通してなくともよく、又、例えば溝状に設けてもよい。
また、凹部621は、配線部材500の配線方向における凸部613の長さ、例えば直径に対し、配線方向に長い空間、すなわち例えば内径を有する。
なお、「配線方向に長い空間」として、平面が円形の穴を例示したが、これに限定されず、例えば配線方向に長い平面が楕円形や長円形、或いは長方形でもよく、又、穴に限定されず、例えば溝やスリットとしてもよい。
【００８８】
（ヒンジ部630）
ヒンジ部630は、本体部610と保持部620を連結するものであり、本体部610に対して保持部620がヒンジ部630を介して回転可能に保持される。ヒンジ部630は、樹脂の肉厚を薄肉とすることで形成され、本体部610と保持部620の長手方向の端部を互いに連結する。
【００８９】
（ロック手段640）
ロック手段640は、図５〜図７、図９及び図１０に示すように、本体部610と保持部620とが対面した状態にロックするものであり、ロック状態を解除可能に形成されている。
ロック手段640は、ヒンジ部630を介して連結された本体部610と保持部620の長手方向の自由端側に設けられている。
なお、ロック手段640を、ヒンジ部630を介して連結された本体部610と保持部620の自由端側に設けたが、これに限定されず、図示しないが、ヒンジ部630を省略した場合には、本体部610と保持部620の両端部に一対設けてもよい。
【００９０】
ロック手段640は、図６に示すように、（１）係止部641、（２）係合部642から構成されている。
係止部641は、本体部610の長手方向の自由端側に設けられ、斜面を有する断面台形形の段状に形成されている。
係合部642は、保持部620の長手方向の自由端側に設けられ、本体部610と対面した状態において段状の係止部641に引っ掛かるフック部643を有する。
【００９１】
（係止装置600の取り付け方法）
上記した構成を有する係止装置600を用いて、配線部材500をベースであるケース400に対して取り付ける方法について説明する。
第１の方法としては、配線部材500を係止装置600に保持させ、配線部材500を保持させた係止装置600をケース400に対して取り付けてもよいし、第２の方法としては、係止装置600をケース400に先に取り付けた後、ケース400に取り付けられた係止装置600に対し、配線部材500を保持させてもよい。
ここでは、第２の方法を例に挙げて説明する。
【００９２】
第１に、係止装置600をケース400に対して取り付ける。
まず、本体部610の断面「Ｌ」形に屈曲した固定脚615を、ケース400の第１穴411にあわせて差し込む。固定脚615を第１穴411に差し込んだ状態で、固定脚615の突出方向に第１穴411内で固定脚615をスライドさせ、第１穴411の内縁と固定脚615を当接させる。
つぎに、本体部610の一対の弾性脚616を、ケース400の一対の第２穴412にそれぞれあわせてはめ込む。弾性脚616を第２穴412にはめ込むと、その爪部617が第２穴412の内縁に押されて縮小、すなわち「Ｖ」字形の開き角度が小さくなり、第２穴412を通過可能なる。その後、爪部617が第２穴412を通過すると、図８（ｂ）に示すように、樹脂の復元力により「Ｖ」字形の開き角度が大きくなることで、爪部617が第２穴412の裏面側に引っ掛かり、弾性脚616が第２穴412から抜けなくなる。
その結果、本体部610が、図８（ｂ）及び図１０に示すように、固定脚615及び弾性脚616を介して、ケース400に固定される。
【００９３】
第２に、ケース400に固定された係止装置600に対して、配線部材500を取り付ける。
まず、図７に示すように、ヒンジ部630を介して本体部610と保持部620が開いた状態とし、本体部610上に配線部材500を重ね、図１０に示すように、その２個の貫通孔510を、本体部610の２個の凸部613にあわせてはめ込む。
つぎに、開いた保持部620を、本体部610に向かってヒンジ部630を中心に回転させることで、保持部620と本体部610の間に配線部材500を挟み込むと共に、ロック手段640を、図１０に示すように、ロック状態とすることで、係止装置600を介して、配線部材500をケース400に対して係止する。
【００９４】
（配線部材500に対する外部からの負荷）
配線部材500に対し、外部からの負荷、例えば配線方向の一方向に配線部材500が引っ張られた場合について説明する。
配線部材500が引っ張られると、その貫通孔510に本体部610の凸部613がはまり込んでいることから、凸部613も同方向に引っ張られる。
凸部613が引っ張られると、可動部612が中空部61内において同方向に移動することで、配線部材500に対する引っ張り力を軽減し、断線を防止できる。
また、可動部612が移動する際に、復元力を蓄積する。
配線部材500が引っ張る力が解放されると、可動部612が蓄積した復元力により元の位置に復帰する。このため、次回、同方向に引っ張られても、引っ張り力を軽減し、断線を防止できる。
つまり、配線部材500の貫通孔510は凸部613にはまり込んでいることから、配線部材500は所定の位置で保持されている。
そして、配線部材500の一方の端子を基板に接続する際に、配線部材500を引っ張られると、配線部材500の貫通孔510は凸部613にはまり込んでいることから、配線部材500の移動と共に凸部613も同方向に移動するため、配線部材の断線や破損を防止できる。
そして、配線部材500の一方の端子を基板に接続して、配線部材500の引っ張りが解除されると、可動部612の復元力による凸部613の移動に伴い、配線部材500は元の位置に復帰するため、配線部材500の他方の端子を接続するのも容易となるとともに、他の部材の組み付けの邪魔にならない。
さらに、配線部材500が係止された係止部材600がベースであるケースに取り付けられた状態で、輸送時等の振動により配線部材500が変位しても、元の位置に復帰するため、変位した状態で他の部材と擦れて断線したり、他の部材を損傷させたりすることも防止できる。
【００９５】
（係止装置600からの配線部材500の取り外し）
配線部材500を係止装置600から取り外す必要が発生した場合には、ロック手段640のロック状態を解除させることで、配線部材500を係止装置600から迅速に且つ簡便に取り外すことができる。
【００９６】
（ケース400からの係止装置600の取り外し）
係止装置600をケース400から取り外す必要が発生した場合には、弾性脚616の操作部618を介して、「Ｖ」字形の開き角度が小さくなるように摘まみ、ケース400の第２穴412から引き上げることで、第２穴412から弾性脚616を取り外せる。
つぎに、固定脚615を、ケース400の第１穴411から引き抜くことで、係止装置600をケース400から迅速に且つ簡便に取り外し、係止装置600の再利用や交換が可能である。
【００９７】
（図１３を用いた遊技の流れの概略説明）
図１３を用いて、メイン制御手段200が１回の遊技毎に実行する一般的な遊技制御処理について説明する。
【００９８】
ステップS10において、メイン制御手段200により、スタートスイッチ40の操作があったか否かの判定が行われる。ここで、スタートスイッチ40の操作があったと判定されると、メイン制御手段200により、賭け数の設定が不可能な状態とされる。その後、次のステップS11に進む。一方、スタートスイッチ40の操作がないと判定されると、再度ステップS10となる。
【００９９】
なお、このステップS10の前提として、賭け数設定処理が行われている。この賭け数設定処理では、賭け数として規定の賭け数が設定されたか否かが判定されるものである。具体的には、メイン制御手段200により、当該遊技の賭け数として設定されているメダルの枚数が規定の賭け数（３枚）に達しているか否かの判定が行われる。
【０１００】
ステップS11において、役抽選手段210により、役抽選処理が行われる。また、このとき、役抽選の結果がメイン制御手段200からサブ制御手段300へ送信される。役抽選処理が終了すると、次のステップS12に進む。
【０１０１】
ステップS12において、リールユニット60における回転リール62の回転変動処理が行われる。回転リール62が所定の回転速度に達した後、メイン制御手段200により、回転中の回転リール62に対応するストップスイッチ50の操作があった場合に、リール制御手段220により、各回転リール62の回転が停止させられる。このときのストップスイッチ50（左ストップスイッチＬ、中ストップスイッチＣ、右ストップスイッチＲ）の当選役に対応する押し順は、メイン制御手段200に形成された所定の記憶領域に記憶されると共に、その後の処理にて読み出される。
【０１０２】
また、すべての停止操作終了後、メイン制御手段200の送信制御手段260からサブ制御手段300の受信制御手段310へ全回転リール62の回転停止情報が送信される。そして、すべての回転リール62の回転変動処理が終了すると、次のステップS13に進む。
ステップS13において、停止図柄判定手段230により、有効ライン86上に所定の役の図柄61の組合せが揃っているか否かの入賞等の判定処理が行われる。ここで、入賞等の判定処理の判定結果のデータは、メイン制御手段200からサブ制御手段300へ送信される。そして、判定処理が終わると、次のステップS14に進む。
【０１０３】
ステップS14において、払出制御手段250により、停止図柄判定手段230の判定結果に対応した払出処理等が行われる。なお、判定結果、払出が不要な場合には、払出処理は行われない。そして、当該処理が終了する。
【０１０４】
（実施の形態の補足的な説明）
上記実施の形態は、以下の技術思想を包含する特徴点を含むものである。
なお、カッコ内の符号は、発明の実施の形態において用いた符号を示し、本発明の技術的範囲を限定するものではない。
（１）第１の特徴点
（１−１）第１の特徴点の構成
第１の特徴点は、次の通りである。
第１に、例えば図１０及び図１２に示すように、ベース（例えばケース400）に固定され、当該ベース（例えばケース400）に対して配線部材(500)を係止する配線部材(500)用係止装置(600)である。
第２に、係止装置(600)は、例えば図５〜１０に示すように、次の構成を備える。
（１）本体部(610)
本体部(610)は、ベース（例えばケース400）に固定されるものである。
（２）保持部(620)
保持部(620)は、本体部(610)と対面した状態で、当該本体部(610)との間に配線部材(500)を保持するものである。
（３）ロック手段(640)
ロック手段(640)は、本体部(610)と保持部(620)とが対面した状態にロックするものである。
第３に、本体部(610)と保持部(620)とのいずれか一方（例えば本体部610）には、例えば図６に示すように、他方（例えば保持部620）との対面状態で、他方（例えば保持部620）に向かって突出するとともに、配線部材(500)を貫通する凸部(613)を設けている。
第４に、他方（例えば保持部620）には、例えば図６に示すように、配線部材(500)を貫通した凸部(613)がはまり込む凹部(621)を設けている。
第５に、凸部(613)を設けた一方（例えば本体部610）には、例えば図６に示すように、少なくとも配線部材(500)の配線方向への凸部(613)の移動を許容し、移動する際に復元力を蓄積可能な可動部(612)を設けている。
【０１０５】
（１−２）第１の特徴点と実施の形態との対応関係
第１の特徴点と実施の形態との対応関係は、次の通りである。
ここで、「ベース」としては、例えば図１１及び図１２に示すように、画像表示装置(84)の基板を覆うケース(400)を例示している。
ここで、「配線部材(500)」としては、例えば図１１及び図１２に示すように、「フレキシブルフラットケーブル」（ＦＦＣ）を例示している。ここで、「フレキシブルフラットケーブル」は、「ＦＦＣ」（Flexible Flat Cable）とも呼ばれ、並列に配置された導体をフィルム状の絶縁体で上下より挟んで作られたケーブルをいう。
ここで、「本体部(610)」と「保持部(620)」は、例えば図６に示すように、一端部が互いに「ヒンジ部(630)」で連結され、他端部にロック手段(640)を備え、当該ロック手段(640)によりロックできるようにしている。
ここで、「凸部(613)」を、例えば図６に示すように、「本体部(610)」に設け、「凹部(621)」を「保持部(620)」に設けている。ここで、「凸部(613)」を、ピン状に設け、「凹部(621)」を穴状に設けている。
ここで、「可動部(612)」として、例えば図６に示すように、板バネを例示し、板材の両端部を「本体部(610)」に連結させ、幅方向から見て波形に屈曲させている。
【０１０６】
（１−３）第１の特徴点のバリエーション
第１の特徴点のバリエーションも、次の通りである。
ここで、「ベース」としては、画像表示装置(84)の液晶表示パネル(Ｐ)を覆うケース(400)を例示したが、これに限定されず、例えば図３に示すメイン制御手段(200)、サブ制御手段(300)、液晶制御基板等の基板ケースでもよいし、或いは例えば図１に示す筐体(12)や前扉(14)等の内面でもよい。
ここで、「配線部材(500)」として、「フレキシブルフラットケーブル」（ＦＦＣ）を例示したが、これに限定されず、例えば「フレキシブルプリント回路基板」（ＦＰＣ）でもよい。ここで、「フレキシブルプリント回路基板」は、「ＦＰＣ」（Flexible printed circuits）」ともよばれ、絶縁性を持った薄く柔らかいベースフィルム（ポリイミド等）と銅箔等の導電性金属を貼り合わせた基材に電気回路を形成した基板をいう。
ここで、「本体部(610)」と「保持部(620)」の両者の一端部を互いに「ヒンジ部(630)」で連結したが、これに限定されず、例えば「本体部(610)」と「保持部(620)」が相互に分離するようにしてもよく、又、「本体部(610)」と「保持部(620)」の両者の両端部にロック手段(640)を備えていてもよい。
ここで、「凸部(613)」を、「本体部(610)」に設け、「凹部(621)」を「保持部(620)」に設けたが、これに限定されず、例えば「凸部(613)」を「保持部(620)」に、「凹部(621)」を「本体部(610)」（可動部(612)）にそれぞれ設けてもよいし、或いは図示しないが、「本体部(610)」に「凸部(613)」と「凹部(621)」の両部を設け、「保持部(620)」にも「凸部(613)」と「凹部(621)」の両部を設け、互い違いにはまり込むようにしてもよい。ここで、「凸部(613)」として、ピン状を例示したが、これに限定されず、例えばブロック状に設けてもよい。ここで、「凹部(621)」として、穴状を例示したが、これに限定されず、穴は貫通してなくともよく、又、例えば溝状に設けてもよい。
ここで、「可動部(612)」として、板バネを例示したが、これに限定されず、例えばコイルバネから構成してもよいし、或いは例えば伸縮性や弾性を有するスポンジやゴム等から構成してもよい。
【０１０７】
（１−４）第１の特徴点の作用効果
第１の特徴点の作用効果は、次の通りである。
すなわち、第１の特徴点によれば、コードに外部からの負荷、例えば引張り力が加わった際に、コードの配線方向の移動を許容することで、外部からの負荷を軽減し、もってコードの断線等の破損を防止するとともに、外部からの負荷が解放された後、コードを元の位置に復帰させることで、更なる外部からの負荷に対応できる。
また、第１の特徴点は、断線等により破損し易い、ＦＰＣやＦＦＣなどの配線部材に好適なものである。
【０１０８】
（２）第２の特徴点
（２−１）第２の特徴点の構成
第２の特徴点は、上記した第１の特徴点に加え、次の通りである。
第１に、凹部(621)は、例えば図５及び図６に示すように、配線部材(500)の配線方向における凸部(613)の長さに対し、配線方向に長い空間を有する。
第２に、凸部(613)は、例えば図５及び図６に示すように、空間において、配線方向の途中に可動部(612)を介して支持されている。
【０１０９】
（２−２）第２の特徴点と実施の形態との対応関係
第２の特徴点と実施の形態との対応関係は、次の通りである。
ここで、「配線方向に長い空間」としては、例えば図６に示すように、平面が円形の穴を例示している。
ここで、「空間において、配線方向の途中」としては、例えば図９に示すように、中間を例示している。
【０１１０】
（２−３）第２の特徴点のバリエーション
第２の特徴点のバリエーションは、次の通りである。
ここで、「配線方向に長い空間」として、平面が円形の穴を例示したが、これに限定されず、例えば配線方向に長い平面が楕円形や長円形、或いは長方形でもよく、又、穴に限定されず、例えば溝やスリットとしてもよい。
ここで、「空間において、配線方向の途中」としては、中間を例示したが、これに限定されず、例えば配線方向の一方に偏らせてもよい。
【０１１１】
（２−４）第２の特徴点の作用効果
第２の特徴点は、上記した第１の特徴点の作用効果に加え、次のような作用効果を奏する。
すなわち、第２の特徴点によれば、空間において、配線方向の途中に可動部を介して凸部を支持することで、当該凸部をニュートラルな位置に支持し、配線方向の両方向の負荷を軽減できる。
【０１１２】
（３）第３の特徴点
（３−１）第３の特徴点の構成
第３の特徴点は、上記した第１の特徴点又は第２の特徴点に加え、次の通りである。
第１に、凸部(613)は、例えば図６に示すように、円柱形に形成されている。
第２に、凹部(621)は、例えば図６、図７及び図９に示すように、円柱形の外形より内径の大きな穴状に形成されている。
【０１１３】
（３−２）第３の特徴点と実施の形態との対応関係
第３の特徴点と実施の形態との対応関係は、次の通りである。
ここで、「穴状」としては、例えば図６に示すように、平面が円形を例示している。
【０１１４】
（３−３）第３の特徴点のバリエーション
第３の特徴点のバリエーションは、次の通りである。
ここで、「穴状」として、平面が円形を例示したが、これに限定されず、例えば平面が楕円形や長円形、或いは長方形等の方形でもよい。
【０１１５】
（３−４）第３の特徴点の作用効果
第３の特徴点は、上記した第１の特徴点又は第２の特徴点の作用効果に加え、次のような作用効果を奏する。
すなわち、第３の特徴点によれば、凸部を円柱形、凹部を円柱形の外形より内径の大きな穴状にそれぞれ形成することで、係止装置の構造を簡便にできる。
【０１１６】
（４）第４の特徴点
（４−１）第４の特徴点の構成
第４の特徴点は、上記した第１〜第３の特徴点のいずれか一つの特徴点に加え、次の通りである。
第１に、凸部(613)は、例えば図６に示すように、本体部(610)に設けられている。
第２に、本体部(610)は、例えば図６に示すように、内側に中空部(611)を有する枠状に形成されている。
第３に、可動部(612)は、例えば図６に示すように、中空部(611)内に位置している。
【０１１７】
（４−２）第４の特徴点と実施の形態との対応関係
第４の特徴点と実施の形態との対応関係は、次の通りである。
ここで、「内側に中空部(611)を有する枠状」としては、例えば図６に示すように、平面がカタカナの「ロ」字形を例示している。
【０１１８】
（４−３）第４の特徴点のバリエーション
第４の特徴点のバリエーションは、次の通りである。
ここで、「内側に中空部(611)を有する枠状」として、平面がカタカナの「ロ」字形を例示したが、これに限定されず、例えばリング状や、或いは四方が閉じていない、カタカナの「コ」字形や、英大文字の「Ｌ」字形でもよい。
【０１１９】
（４−４）第４の特徴点の作用効果
第４の特徴点は、上記した第１〜第３の特徴点のいずれか一つの特徴点の作用効果に加え、次のような作用効果を奏する。
すなわち、第４の特徴点によれば、凸部を本体部に設け、枠状の本体部の中空部内に可動部を位置させることで、可動部の移動を許容できる。
【０１２０】
（５）第５の特徴点
（５−１）第５の特徴点の構成
第５の特徴点は、上記した第４の特徴点に加え、次の通りである。
第１に、可動部(612)は、例えば図５及び図６に示すように、配線部材(500)の配線方向に向かって屈曲可能な板状に形成されるとともに、中空部(611)内において、配線方向と直交する方向に対向する内側面に両端部がそれぞれ連結されている。
第２に、凸部(613)は、例えば図６及び図７に示すように、可動部(612)の両端部の間に位置している。
【０１２１】
（５−２）第５の特徴点と実施の形態との対応関係
第５の特徴点と実施の形態との対応関係は、次の通りである。
ここで、「配線部材(500)の配線方向に向かって屈曲可能な板状」として、例えば図６に示すように、幅方向から見たときに波形に屈曲した板を例示している。
【０１２２】
（５−３）第５の特徴点のバリエーション
第５の特徴点のバリエーションは、次の通りである。
ここで、「配線部材(500)の配線方向に向かって屈曲可能な板状」として、幅方向から見たときに波形に屈曲した板を例示したが、これに限定されず、例えば、英大文字の「Ｖ」、「Ｗ」字形でもよい。
【０１２３】
（５−４）第５の特徴点の作用効果
第５の特徴点は、上記した第４の特徴点の作用効果に加え、次のような作用効果を奏する。
すなわち、第５の特徴点によれば、可動部を、配線部材の配線方向に向かって屈曲可能な板状に形成することで、バネ性を利用できるともに、可動部の両端部を、中空部内において、配線方向と直交する方向に対向する内側面にそれぞれ連結し、凸部を可動部の両端部の間に位置させることで、配線部材を安定して保持できる。
【０１２４】
（６）第６の特徴点
（６−１）第６の特徴点の構成
第６の特徴点は、上記した第１〜第５の特徴点のいずれか一つの特徴点に加え、次の通りである。
第１に、配線部材(500)用係止装置(600)は、熱可塑性樹脂で一体成形されている。
第２に、可動部(612)は、樹脂の弾性復元力を利用している。
【０１２５】
（６−４）第６の特徴点の作用効果
第６の特徴点は、上記した第１〜第５の特徴点のいずれか一つの特徴点の作用効果に加え、次のような作用効果を奏する。
すなわち、第６の特徴点によれば、熱可塑性樹脂で一体成形され、可動部に樹脂の弾性復元力を利用することで、係止装置の構造、並びに製造を簡便にできる。
【０１２６】
（７）第７の特徴点
（７−１）第７の特徴点の構成
第７の特徴点は、上記した第１〜第６の特徴点のいずれか一つの特徴点に加え、次の通りである。
第１に、ベースは、例えば図１、図１１及び図１２に示すように、遊技機(10)の筐体(12)内に配置される部材を覆うケース（例えばケース400）である。
第２に、本体部(610)には、例えば図５、図６及び図８に示すように、ケース（例えばケース400）に設けられた取付穴(410)に弾性的に係合する弾性脚(616)を設けている。
【０１２７】
（７−２）第７の特徴点と実施の形態との対応関係
第７の特徴点と実施の形態との対応関係は、次の通りである。
ここで、「部材」としては、例えば図１１及び図１２に示すように、液晶表示パネル(Ｐ)を例示している。
【０１２８】
（７−３）第７の特徴点のバリエーション
第７の特徴点のバリエーションは、次の通りである。
ここで、「部材」としては、液晶表示パネル(Ｐ)を例示したが、これに限定されず、例えば図３に示すメイン制御手段(200)、サブ制御手段(300)、液晶制御基板等の基板でもよい。
【０１２９】
（７−４）第７の特徴点の作用効果
第７の特徴点は、上記した第１〜第６の特徴点のいずれか一つの特徴点の作用効果に加え、次のような作用効果を奏する。
すなわち、第７の特徴点によれば、遊技機の液晶表示パネルを覆うケースや基板ケースに弾性脚を利用してワンタッチで装着できる。
【符号の説明】
【０１３０】
10  遊技機                      12  筐体
14  前扉                        16  図柄表示窓部
20  上パネル                    22  下パネル
24  払出手段                    26  メダル受け皿
28  メダル払出口                30  操作部
32  ベットスイッチ              34  マックスベットスイッチ
35  シングルベットスイッチ      36  精算スイッチ
38  メダル投入口                40  スタートスイッチ
50  ストップスイッチ            Ｌ  左ストップスイッチ
Ｃ  中ストップスイッチ          Ｒ  右ストップスイッチ
60  リールユニット              61  図柄
62  回転リール                  64  左リール
66  中リール                    68  右リール
70  演出装置
72  スピーカー                  74  上部スピーカー
76  下部スピーカー              78  演出用ランプ
80  上部ランプ                  82  下部ランプ
84  画像表示装置                86  有効ライン
100  遊技制御手段
200  メイン制御手段              210  役抽選手段
220  リール制御手段              230  停止図柄判定手段
240  遊技状態制御手段            241  普通遊技制御手段
242  ボーナス内部中制御手段      243  特別遊技制御手段
243a  第１特別状態制御手段       243b  第２特別状態制御手段
244  特殊遊技制御手段
250  払出制御手段                260  送信制御手段
300  サブ制御手段
310  受信制御手段                320  演出制御手段
400  ケース（ベース）            410  取付穴
411  第１穴                      412  第２穴
500  配線部材                    510  貫通孔
600  係止装置                    610  本体部
611  中空部                      612  可動部
613  凸部                        614  取付部
615  固定脚                      616  弾性脚
617  爪部                        618  操作部
620  保持部                      621  凹部
630  ヒンジ部
640  ロック手段                  641  係止部
642  係合部                      643  フック部
Ｐ  液晶表示パネル
【図１】
2017158694.tif 000003
【図２】
2017158694.tif 000004
【図３】
2017158694.tif 000005
【図４】
2017158694.tif 000006
【図５】
2017158694.tif 000007
【図６】
2017158694.tif 000008
【図７】
2017158694.tif 000009
【図８】
2017158694.tif 000010
【図９】
2017158694.tif 000011
【図１０】
2017158694.tif 000012
【図１１】
2017158694.tif 000013
【図１２】
2017158694.tif 000014
【図１３】
2017158694.tif 000015
【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
ベースに固定され、当該ベースに対して配線部材を係止する配線部材用係止装置であって、
前記ベースに固定される本体部と、
前記本体部と対面した状態で、当該本体部との間に前記配線部材を保持する保持部と、
前記本体部と前記保持部とが対面した状態にロックするロック手段と、を備え、
前記本体部と前記保持部とのいずれか一方には、他方との対面状態で、前記他方に向かって突出するとともに、前記配線部材を貫通する凸部を設け、
前記他方には、前記配線部材を貫通した前記凸部がはまり込む凹部を設け、
前記凹部は、
前記配線部材の配線方向における前記凸部の長さに対し、前記配線方向に長い空間を有し、
前記凸部を設けた前記一方には、
前記配線部材の前記配線方向への前記凸部の移動を許容し、移動する際に復元力を蓄積可能な可動部を設け、
前記凸部は、
前記空間において、前記配線方向の途中に前記可動部を介して支持されている、
ことを特徴とする配線部材用係止装置。
【請求項２】
前記凸部は、円柱形に形成され、
前記凹部は、前記円柱形の外形より内径の大きな穴状に形成されている、
ことを特徴とする請求項１に記載の配線部材用係止装置。
【請求項３】
前記凸部は、前記本体部に設けられ、
前記本体部は、内側に中空部を有する枠状に形成され、
前記可動部は、前記中空部内に位置している、
ことを特徴とする請求項１又は２に記載の配線部材用係止装置。
【請求項４】
前記可動部は、
前記配線方向に向かって屈曲可能な板状に形成されるとともに、
前記中空部内において、前記配線方向と直交する方向に対向する内側面に両端部がそれぞれ連結され、
前記凸部は、前記可動部の両端部の間に位置している、
ことを特徴とする請求項３に記載の配線部材用係止装置。
【請求項５】
前記配線部材用係止装置は、熱可塑性樹脂で一体成形され、
前記可動部は、樹脂の弾性復元力を利用している、
ことを特徴とする請求項１〜４のいずれか１項に記載の配線部材用係止装置。
【請求項６】
前記ベースは、遊技機の筐体内に配置される部材を覆うケースであり、
前記本体部には、前記ケースに設けられた取付穴に弾性的に係合する弾性脚を設けている、
ことを特徴とする請求項１〜５のいずれか１項に記載の配線部材用係止装置を用いた遊技機。
【手続補正２】
【補正対象書類名】明細書
【補正対象項目名】００１２
【補正方法】変更
【補正の内容】
【００１２】
なお、カッコ内の符号は、発明の実施の形態において用いた符号を示し、本発明の技術的範囲を限定するものではない。
本発明に係る配線部材(500)用係止装置(600)は、ベース（例えばケース400）に固定され、当該ベース（例えばケース400）に対して配線部材(500)を係止する配線部材(500)用係止装置(600)であって、前記ベース（例えばケース400）に固定される本体部(610)と、前記本体部(610)と対面した状態で、当該本体部(610)との間に前記配線部材(500)を保持する保持部(620)と、前記本体部(610)と前記保持部(620)とが対面した状態にロックするロック手段(640)と、を備え、前記本体部(610)と前記保持部(620)とのいずれか一方（例えば本体部610）には、他方（例えば保持部620）との対面状態で、前記他方（例えば保持部620）に向かって突出するとともに、前記配線部材(500)を貫通する凸部(613)を設け、前記他方（例えば保持部620）には、前記配線部材(500)を貫通した前記凸部(613)がはまり込む凹部(621)を設け、前記凹部(621)は、前記配線部材(500)の配線方向における前記凸部(613)の長さに対し、前記配線方向に長い空間を有し、前記凸部(613)を設けた前記一方（例えば本体部610）には、前記配線部材(500)の前記配線方向への前記凸部(613)の移動を許容し、移動する際に復元力を蓄積可能な可動部(612)を設け、前記凸部(613)は、前記空間において、前記配線方向の途中に前記可動部(612)を介して支持されている、ことを特徴とする。
かかる構成にあっては、コードに外部からの負荷、例えば引張り力が加わった際に、コードの配線方向の移動を許容することで、外部からの負荷を軽減し、もってコードの断線等の破損を防止するとともに、外部からの負荷が解放された後、コードを元の位置に復帰させることで、更なる外部からの負荷に対応できる、という効果がある。
また、本発明に係る配線部材用係止装置は、断線等により破損し易い、ＦＰＣやＦＦＣなどの配線部材に好適なものである。
【手続補正３】
【補正対象書類名】明細書
【補正対象項目名】００１３
【補正方法】変更
【補正の内容】
【００１３】
かかる構成にあっては、空間において、配線方向の途中に可動部を介して凸部を支持することで、当該凸部をニュートラルな位置に支持し、配線方向の両方向の負荷を軽減できる、という効果がある。
【手続補正４】
【補正対象書類名】明細書
【補正対象項目名】００１６
【補正方法】変更
【補正の内容】
【００１６】
また、本発明に係る配線部材(500)用係止装置(600)の具体例としては、さらに、前記可動部(612)は、前記配線方向に向かって屈曲可能な板状に形成されるとともに、前記中空部(611)内において、前記配線方向と直交する方向に対向する内側面に両端部がそれぞれ連結され、前記凸部(613)は、前記可動部(612)の両端部の間に位置している、ことを特徴とする。
かかる構成にあっては、可動部を、配線部材の配線方向に向かって屈曲可能な板状に形成することで、バネ性を利用できるともに、可動部の両端部を、中空部内において、配線方向と直交する方向に対向する内側面にそれぞれ連結し、凸部を可動部の両端部の間に位置させることで、配線部材を安定して保持できる、という効果がある。
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
ベースに固定され、当該ベースに対して配線部材を係止する配線部材用係止装置であって、
前記ベースに固定される本体部と、
前記本体部と対面した状態で、当該本体部との間に前記配線部材を保持する保持部と、
前記本体部と前記保持部とが対面した状態にロックするロック手段と、を備え、
前記本体部には、前記保持部との対面状態で、前記保持部に向かって突出するとともに、前記配線部材を貫通する凸部を設け、
前記保持部には、前記配線部材を貫通した前記凸部がはまり込む凹部を設け、
前記凹部は、
前記配線部材の配線方向における前記凸部の長さに対し、前記配線方向に長い空間を有し、
前記本体部には、
前記配線方向への前記配線部材の移動を許容するため、前記配線方向への前記凸部の移動を許容し、移動する際に復元力を蓄積可能な可動部を設け、
前記凸部は、
前記空間において、前記配線方向の途中に前記可動部を介して支持されている、
ことを特徴とする配線部材用係止装置。
【請求項２】
前記凸部は、円柱形に形成され、
前記凹部は、前記円柱形の外形より内径の大きな穴状に形成されている、
ことを特徴とする請求項１に記載の配線部材用係止装置。
【請求項３】
前記凸部は、前記本体部に設けられ、
前記本体部は、内側に中空部を有する枠状に形成され、
前記可動部は、前記中空部内に位置している、
ことを特徴とする請求項１又は２に記載の配線部材用係止装置。
【請求項４】
前記可動部は、
前記配線方向に向かって屈曲可能な板状に形成されるとともに、
前記中空部内において、前記配線方向と直交する方向に対向する内側面に両端部がそれぞれ連結され、
前記凸部は、前記可動部の両端部の間に位置している、
ことを特徴とする請求項３に記載の配線部材用係止装置。
【請求項５】
前記配線部材用係止装置は、熱可塑性樹脂で一体成形され、
前記可動部は、樹脂の弾性復元力を利用している、
ことを特徴とする請求項１〜４のいずれか１項に記載の配線部材用係止装置。
【請求項６】
前記ベースは、遊技機の筐体内に配置される部材を覆うケースであり、
前記本体部には、前記ケースに設けられた取付穴に弾性的に係合する弾性脚を設けている、
ことを特徴とする請求項１〜５のいずれか１項に記載の配線部材用係止装置を用いた遊技機。
【手続補正２】
【補正対象書類名】明細書
【補正対象項目名】００１２
【補正方法】変更
【補正の内容】
【００１２】
なお、カッコ内の符号は、発明の実施の形態において用いた符号を示し、本発明の技術的範囲を限定するものではない。
本発明に係る配線部材(500)用係止装置(600)は、ベース（例えばケース400）に固定され、当該ベース（例えばケース400）に対して配線部材(500)を係止する配線部材(500)用係止装置(600)であって、前記ベース（例えばケース400）に固定される本体部(610)と、前記本体部(610)と対面した状態で、当該本体部(610)との間に前記配線部材(500)を保持する保持部(620)と、前記本体部(610)と前記保持部(620)とが対面した状態にロックするロック手段(640)と、を備え、前記本体部(610)には、前記保持部(620)との対面状態で、前記保持部(620)に向かって突出するとともに、前記配線部材(500)を貫通する凸部(613)を設け、前記保持部(620)には、前記配線部材(500)を貫通した前記凸部(613)がはまり込む凹部(621)を設け、前記凹部(621)は、前記配線部材(500)の配線方向における前記凸部(613)の長さに対し、前記配線方向に長い空間を有し、前記本体部(610)には、前記配線方向への前記配線部材(500)の移動を許容するため、前記配線方向への前記凸部(613)の移動を許容し、移動する際に復元力を蓄積可能な可動部(612)を設け、前記凸部(613)は、前記空間において、前記配線方向の途中に前記可動部(612)を介して支持されている、ことを特徴とする。
かかる構成にあっては、コードに外部からの負荷、例えば引張り力が加わった際に、コードの配線方向の移動を許容することで、外部からの負荷を軽減し、もってコードの断線等の破損を防止するとともに、外部からの負荷が解放された後、コードを元の位置に復帰させることで、更なる外部からの負荷に対応できる、という効果がある。
また、本発明に係る配線部材用係止装置は、断線等により破損し易い、ＦＰＣやＦＦＣなどの配線部材に好適なものである。